(57)【要約】  衣服または物品に使用するための実質的に目に見えないレール式閉止具が提供され、レール式閉止具は第１のレールおよび第２のレールを有し、第１のレールおよび第２のレールがレール式閉止具の外向き表面上で見えないように、第２のレールは対になって連結するよう構成されている。
2010515533.tif 000002
【特許請求の範囲】
【請求項１】
２つの連結レールを備える材料締結装置であって、少なくとも１つのレールが外向き部分を有するヘッドを備え、該外向き部分は材料の上に接着するように構成された表面を有する、材料締結装置。
【請求項２】
前記外向きの部分が材料捕捉手段をさらに備える、請求項１に記載の材料締結装置。
【請求項３】
前記材料捕捉手段が前記ヘッドの外部表面上にある、請求項２に記載の材料締結装置。
【請求項４】
前記材料捕捉手段が前記ヘッドの外部表面上にある、請求項３に記載の材料締結装置。
【請求項５】
前記材料捕捉手段が前記ヘッドの内向き表面上にある、請求項３に記載の材料締結装置。
【請求項６】
前記材料捕捉手段が前記ヘッドの移行部上にある、請求項３に記載の材料締結装置。
【請求項７】
２つの連結レールを備える材料締結装置であって、少なくとも１つのレールが材料捕捉手段を備える、材料締結装置。
【請求項８】
２つの連結部分を有するレール式閉止具を備える衣服であって、該連結部分の少なくとも１つが当該衣服の上に押し出されている、衣服。
【請求項９】
連結手段を有するレールを備える布帛片であって、該連結手段は当該布帛片の上に押し出されており、該連結手段は対になる連結手段に締結可能である、布帛片。
【請求項１０】
前記連結手段が布帛の端部の上に押し出されている、請求項９に記載の布帛片。
【請求項１１】
２つの連結レールを備える材料締結装置であって、少なくとも１つのレールが、ヘッド部分と、材料を該ヘッド部分に接着して作られたテール部分と、該少なくとも１つのレールの内部にある材料捕捉手段とを備える、材料締結装置。
【請求項１２】
内向き表面および外向き表面を有する実質的に目に見えないレール式閉止具であって、
ヘッド部分と、材料を該ヘッド部分に接着して作られたテール部分と、第１のレールのヘッド部分の上に位置して該材料の一部を固定する材料捕捉手段とを有する、第１のレールと；
第２の材料を第２のレールに接着して作られたテール部分を有し、第１および第２のレールが当該レール式閉止具の外向き表面の上で見えないように、該第１のレールと対になって連結するように構成された、第２のレールと
を備える、実質的に目に見えないレール式閉止具。
【請求項１３】
前記レール式閉止具の外向き表面にステッチがない、請求項１２に記載の実質的に目に見えないレール式閉止具。
【請求項１４】
実質的に目に見えないレール式閉止具の製造方法であって、
ａ）接着用に構成された表面を有し、材料捕捉手段を有する、第１のレールヘッドを提供し；
ｂ）第１の布帛片を提供し；
ｃ）該第１の布帛片を接着用に構成された該表面上で該第１のレールヘッドに取り付け、および該材料捕捉手段の中に該第１の布帛片の端部を固定し；
ｄ）対になるレールヘッドを提供し；
ｅ）第２の布帛片を提供し；
ｆ）該対になるレールヘッドを該第２の布帛片に取り付け；および
ｇ）該第１のレールヘッドと該対になるレールヘッドとを接合することによって、第１の布帛片と第２の布帛片の間に実質的に目に見えないシールを形成する
ことを含む、方法。
【発明の詳細な説明】
【技術分野】
【０００１】
（関連出願の相互参照）この出願は２００７年１月１１に出願された米国仮出願第６０／８８４，５５９号（参照により全体としてその内容を本願に援用する）の利益を主張する。
【０００２】
（発明の分野）本発明は、レールが外部に見えることのない、布帛および他の材料の間にシールを作製することが可能な、レール式閉止装置に関する。
【背景技術】
【０００３】
締結装置は、部品に沿ってスライドを動かすことによって連結されたり分離されたりする歯を有する、２つの柔軟な細長部品を通常含む。そのような締結装置が様々な物品、例えば衣類およびバッグを開閉するのに長らく使用されているが、そのような装置は液体および気体が締結具内部に入る余地を有してしまうため、それゆえ防風性、気密性および／または防水性物品に望まれる条件に有用ではない。レール型の閉止具を使用して、締結具内部に液体および気体が入ることから保護することもできるが、それらは衣服および他の物品の外部で簡単に見えるものであった。本発明の装置は、レール式閉止具を使用する実質的に目に見えない閉止システムを提供し、ここでは衣服または物品の材料のみが閉止システムの外部で目に見える。閉止システムは縫製またはステッチを必要とせずに作ることができ、こうしてシームレスのレール式閉止具のデザインが創られる。
【発明の概要】
【課題を解決するための手段】
【０００４】
２つの連結レールを備える材料締結装置が開示され、ここでは、少なくとも１つのレールが外向き部分を有するヘッドを備え、その外向き部分は所望の材料の上に直接接着するように構成された表面を有する。ヘッドは、材料の一部を固定する材料捕捉手段をさらに備えてもよい。
【０００５】
２つの連結部分を備える、実質的に目に見えないシームレスのレール式閉止具を有する衣服が開示され、ここでは、連結部分の少なくとも１つが衣服の上に直接押し出されている。
【０００６】
シームレスのレール式閉止具に使用するための布帛片が開示され、その布帛片は、布帛片の上に押し出された連結手段が所望の対になる連結手段に締結可能であるように、布帛片の上に直接押し出された連結手段を有するレールを備える。
【０００７】
２つの連結レールを備える材料締結装置が開示され、ここでは、少なくとも１つのレールが、ヘッド部分と、材料をヘッド部分に接着して作られたテール部分と、少なくとも１つのレールの内部に材料端部を捕捉するための手段とを備える。
【０００８】
内向き表面および外向き表面を有する実質的に目に見えないレール式閉止具が開示され、そのレール式閉止具は、ヘッド部分と、材料をヘッド部分に接着して作られたテール部分と、第１のレールのヘッド部分の上に位置して材料の一部を固定する材料捕捉手段とを有する第１のレールと；第２の材料を第２のレールに接着して作られたテール部分を有し、第１および第２のレールがレール式閉止具の外向き表面の上で見えないように、第１のレールと対になって連結するように構成された、第２のレールとを備える。
【図面の簡単な説明】
【０００９】
【図１】本発明の例示的な締結装置の連結レールの横断面図である。
【図２】連結レールの例示的なデザインである。
【図３】連結レール部分を示す、本発明の実質的に目に見えない閉止システムの側方横断面図である。
【図４】テールのない例示的なレールの図である。
【図５】連結手段を有するレール、およびレールに接合された２つの異なる衣服材料の図である。
【図６】シームレス・レールを一体化した図であり、ここではテールのないレールが衣服に直接取り付けられている。
【図７】シームレス・レールを一体化したシステムの図であり、ここではテールのないレールが、片側で衣服に直接取り付けられており、反対側でシームテープに取り付けられている。
【図８】材料捕捉手段を備える、シームレス・レールを一体化したシステムの図である。
【図９】レールのヘッド上の、材料捕捉手段の拡大図である。
【図１０】本発明の閉止システムの図を示し、ここではレールは外向き部分において材料で覆われている。
【図１１】本発明の閉止システムの図を示し、ここではレールは物品の外向き部分において見えないように隠されておりステッチをもたない。
【発明を実施するための形態】
【００１０】
レール式締結具は、布帛および／または他の材料の間にシールを作るために通常使用することができる。レール式締結具は、閉止システムのシール部分を構成し、２つの対になるレールの形状を一緒にしたり離したりするよう操作するためのスライダー機構を普通は伴う。図１は、縫製、テープ留め、糊付けまたは溶接のために締結具のヘッドに隣接した空間を設けることによって、レール式締結具を衣服に容易に設置できるようにする、標準的なテール１０の区域を有するレール式締結具を示す。移行部２０は、レール４０のヘッド３０をテール１０に接合する形状の部分として示されている。レール式締結具のヘッド３０は、連結手段６０を収容し、スライダーによって操作される部分であり、普通は衣服または装置の中に設置した後に見える部分である。図２に示すように、連結手段６０は、レール式締結具を他のレール式締結具にロックおよびシールして閉止システムのシールを形成する、レール４０の部分である。連結手段６０は、好ましくはレールのヘッド３０の上に位置してレールの長さに延びる、舌／溝型の構成によって通常は形成されるが、２つの対になるレールを連結するのに他の適した構成を使用してもよい。レール４０の長寸は、少なくとも閉止システムの所望のシール部分の長さに延びる。最も基本的な形状のレールは、少なくともヘッド３０の部分と少なくとも連結手段６０とを有する。いくつかの実施態様では、スライダーを使用して、２つあるレール式締結具の両側または両方を分離するよう操作する。両方のレールは、スライダーの前で分離し、スライダーを通過した後に完全に閉じる。閉止システムを説明する以下の実施態様は、所望の用途に従って、スライダーと一緒に使用することもでき、スライダーとは独立して使用することもできる。
【００１１】
本発明の実施態様によれば、テール１０の部分が材料をレールのヘッド３０に接着して作られ、こうしてステッチされたシームのない閉止具を物品に作ること以外は、シームレス・レールシステムは典型的なレール締結具と同様に機能する。シームレス・レールシステムは、少なくとも２つの連結レールを備える材料締結装置であって、ここでは、少なくとも１つのレール４０が外向き部分を有するヘッド３０を備え、その外向き部分は材料表面の上に直接接合するように構成された表面を有する。材料をレール４０のヘッド３０に接着することは、数多くの材料のタイプおよび設置または接着方法を用いて、多くの方法によって達成することができる。例えば、図３に示すように、シームレス・レールシステムは、テール区域のないレール式締結具を押出成形または射出成形することによって製造可能である。次にシームレス・レールを、衣服材料または他の適した物品に直接、糊付けまたは高周波（ＲＦ）溶接でき、そうでなければ接着することができる。レール４０のヘッド全体を衣服の内部または下側に取り付けて、衣服の外部材料の外観をレールの見えないものとすること、そしてシームレス・レール用途ではステッチもないものとすることが可能であり、こうして衣服または他の用途の外側から見たときに実質的に見えない閉止システム１００が作られる。このシームレス・レール用途はまた、従来のレールに関連するレール式締結具のテール部分を除くことによって閉止システムの柔軟性を高め、また精巧な縫製およびシームテープ処理の必要性も軽減する。通気性ジャケットの閉止具の場合、閉止具の大きさが小さくなって、結果的に通気性布帛の表面により接近しやすくなるため、通気性も高めることができる。
【００１２】
図４および５はシームレス・レールの一体化した図であり、ここではテープのないまたはテールのないレールが、衣服の一部を用いてジャケットまたは衣服に直接糊付けまたは溶接されて、シームレス・レールに加えて向かい合う材料の両方に溶接されている。この応用は、バリア布帛、防水性材料、防護性布帛、またはフルオロポリマーもしくは同様の膜を含む布帛を用いたジャケットなどの衣服にシームレス・レールを取り付けるために適している。シームレス・レールは、２つの材料がそれら全体で接着されていることを必要としない。むしろ、材料１１０の一片または一部を使用して、レール４０と衣服または他の用途との間に接着を作ることができる。
【００１３】
本発明の実施態様によれば、図６および７はシームテープ８５を使用してレール４０のヘッドと固定して接続させることを示している。シームテープは材料部分１１０に接合されて、固定した界面または接着を作る。シームテープ８５はまた、衣服材料１１０とレールとの間に接着を作るのに十分な小さい布帛または材料部分と置き換えることができ、連結手段６０を布帛と接触しないようにできる。
【００１４】
レール４０の外部または外向き部分は、材料捕捉手段９０を使用してもよいヘッドを備える。材料捕捉手段９０は、図８および９に図示するようにヘッド外部表面に位置させることができ、代わりにヘッド３０の移行部２０の領域などのヘッド３０の表面、または連結手段６０の隣に位置させることもできる。本発明の実施態様によれば、図８および９はレール内のスリット形状の材料捕捉手段９０を使用して、材料１１０の末端または端部をより一体化させることを示している。材料捕捉手段はまた、所望であればシームテープの端部を一体化させるために使用することもできる。材料捕捉手段はスリットとして示されているが、へこみ、ガイド、クリップまたは他の同様の一体化手法などの、他の適した構成で置換可能であることを理解すべきである。材料捕捉手段は、図８に示すように、実質的に目に見えない閉止システムを提供するために、レールヘッドの端部に位置させることができ、こうして衣服または他の物品の外側に露出していない閉止具が提供される。図９は、閉止具が閉じ位置にあるときに目に見えて、それによってシームレスの構成を提供するが実質的に目に見えない閉止システムではない、レールヘッドの部分を図示する。布帛または材料１１０を材料捕捉手段９０の中に導いて、糊付け、溶接または縫製によってシールすることができる。この材料捕捉手段は、シームレス・レールの両側にあってもよく、閉止具に使用されない他の材料、例えば機能性布帛片、または他の所望の材料を組み込むのに役立てることができる。この一例は、反射性ストリップをジャケットの外側に組み込むことである。
【００１５】
図１０および１１は、レールを使用して、ジャケット、衣服または用途の前面で閉止具を完全に隠し、こうして実質的に目に見えない閉止システム１００を作ることを示す。図１０に図示されているように、閉止具は物品（衣服、バッグまたは他の用途）の外側から見て完全に隠れており、ステッチまたは材料シームもない。そのため、衣服または物品の外観に美感が与えられるとともに、通気性が増して取り付けコストがより安いことにより称賛された、より小さくより柔軟な閉止システムが提供される。レール式締結具の従来のテール部分の必要性をなくすだけでなく、閉止具を物品に縫い付けおよびテープ処理するために使用する材料の必要性もなくすことによって、大きさおよび重量も小さくなる。本発明の他の利点は、従来のレール式締結具およびその取り付けによって生じる引張りおよび伸びの問題がなくなることである。
【００１６】
材料１１０をレールの外側に接着することに加えて、レールヘッドを、布帛に、または衣服および他の品物に直接組み込むこともできる布帛片の上に、直接押出または射出成形することも可能である。理解を容易にするため、押出、射出成形あるいは他の成形であっても、レールを製造する方法をこれ以降押出として記載する。最も基本的な形状において、そのような衣服は、２つの連結部分を有するレール式閉止具を備え、ここでは、連結部分の少なくとも１つが衣服の上に押し出されている。押し出されたレールは、衣服にまたは布帛片の上に直接接合することができる。押し出されたレールは、衣服の端部または機能性布帛片の上または他の所望の位置に位置させることができる。
【００１７】
布帛片の寸法は、衣服または品物の製造および加工全体を通じてレールがその完全性を維持できるような、所望の用途に組み入れるために適したものとすることができる。布帛片を使用する場合、最も基本的な実施態様では、布帛片は連結手段６０を有するレール４０を備え、連結手段６０は、布帛片の上に押し出され、連結手段６０が対になる連結手段と締結可能であるように構成される。対になる連結手段は、向かい合う衣服の端部、関連するもしくは関連しない衣服もしくは物品、または布帛片の上に位置させることができる。布帛片は、バリア特性もしくは他の所望の属性を有する機能性布帛、織り材料、不織材料、布地、革、膜、または閉止具を必要とする衣服、バッグもしくは他の物品に使用される他の同様の材料であってよい。
【００１８】
実質的に目に見えない閉止システムを有するジャケットなどの衣服は、本開示を用いて形成することができる。そのような衣服は、少なくとも、２つの連結レールを有する材料締結装置を備え、ここでは、少なくとも１つのレール４０が、ヘッド３０の部分と、衣服材料１１０をヘッド３０の部分に接着して作られたテール１０の部分と、少なくとも１つのレール４０の部分の内部に材料１１０の端部を固定するための材料捕捉手段とを備えて、ジャケットの外部に実質的に目に見えないレール式閉止具を形成し、こうして目に見えるレールに係るデザイン上の問題を解決する。
【００１９】
ある実施態様では、実質的に目に見えないレール式閉止具は、ヘッド３０の部分と、材料をヘッド３０の部分に接着して作られたテール１０の部分と、第１のレール４０のヘッド３０の部分の上に位置して材料の端部を固定する材料捕捉手段９０とを有する第１のレール４０と；第２の材料を第２のレールに接着して作られたテール１０の部分を有し、第１および第２のレールがレール式閉止具の外向き表面の上で見えないように、第１のレール４０と対になって連結するように構成された、第２のレールとを備える。さらに、溶接、糊付けまたは他のステッチレスの接着手法を用いた場合、レール式閉止具の外向き表面からステッチをなくすことができる。
【００２０】
本発明の実施態様によれば、布帛上にレールを製造する方法が提供される。レールは、単一の製造工程で、布帛または機能性材料の上に直接押し出すことができる。例えば、布帛または他の材料は、１つの品物として販売するために、材料の上に直接一体化したシームレス・レールを付して作ることができる。布帛または材料はまた、引抜成形で繊維を押出プロファイルまたはレール式締結具に一体化する方法と同様に、レールヘッドの内部の中に押出または成形することもできる。
【００２１】
実質的に目に見えないレール式閉止具を提供するための基本的な方法は、接着用に構成された表面と、１つの端部に沿った材料捕捉手段とを有する第１のレールヘッドを提供する工程を含む。第１のレールヘッドは、第１の布帛片（または衣服の端部）の上に配置され、次に、第１の布帛片は、接着用に構成された表面を介して第１のレールヘッドに取り付けられる。次に、第１の布帛片の端部は材料捕捉手段の中に固定される。次に、対になるレールヘッドは、第２の布帛片または端部に取り付けられ、第１のレールヘッドに接合されて実質的に目に見えないレール式閉止具を形成する。
【００２２】
いくつかの用途では、シームレス・レールシステムに使用するスライダーを、レールに接着された材料と相互作用させる必要がある。多くの材料がスライダーの相互作用を補助しより容易な摺動を作り出すが、追加の材料を表面に添加することにより、良好な相互作用を作り出すことに加えて、スライダーによって生じる摩耗から材料表面を保護することができる。
【００２３】
これらのシステムを組み合わせて、数多くのレール式装置を作り出すことができる。この文書に記載した全ての特徴は、本発明の範囲を限定せず、むしろレール式締結具の取り付け、作製および製造の可能性にも及ぶ。
【図１】
2010515533.tif 000003
【図２】
2010515533.tif 000004
【図３】
2010515533.tif 000005
【図４】
2010515533.tif 000006
【図５】
2010515533.tif 000007
【図６】
2010515533.tif 000008
【図７】
2010515533.tif 000009
【図８】
2010515533.tif 000010
【図９】
2010515533.tif 000011
【図１０】
2010515533.tif 000012
【図１１】
2010515533.tif 000013
【国際調査報告】
2010515533.tif 000014
2010515533.tif 000015